(57)【要約】【課題】入力信号を増幅すると共にその出力を電力合成器で合成して出力信号を得る複数の増幅器系統の出力を同振幅且つ同位相に制御する電力増幅器および電力増幅方法を提供する。【解決手段】各増幅器系統１３Ａ、１３Ｂの出力信号の平均値を平均値検出部２３でデジタル演算処理により求め、この平均値を各増幅器系統１３Ａ、１３Ｂに共通の固定値２６と比較器２４で比較し、この比較結果に基づいて各増幅器系統１３Ａ、１３Ｂの増幅器１４のバイアス電圧を制御する。【選択図】図１
2006135528.tif 000002
【特許請求の範囲】
【請求項１】
入力信号を電力分配器にて分岐して複数の増幅器系統に入力して増幅し、該複数の増幅器系統により増幅された信号を電力合成器にて合成して必要とする出力信号を得る電力増幅器において、
それぞれ前記各増幅器系統の出力信号により前記各増幅器系統の増幅器のバイアス電圧を制御する制御部を備えることを特徴とする電力増幅器。
【請求項２】
前記電力合成器で合成される前記複数の増幅器系統の出力信号は、前記制御部により振幅および位相がそれぞれ等しくされることを特徴とする請求項１に記載の電力増幅器。
【請求項３】
前記制御部は、前記各増幅器系統の出力信号の平均値を求める平均値検出部および前記平均値を予め決められた固定値と比較する比較器を備えることを特徴とする請求項１又は２に記載の電力増幅器。
【請求項４】
前記制御部は、前記各増幅器系統の出力信号をアナログ・デジタル変換器でデジタル化してデジタル的に処理されることを特徴とする請求項１、２又は３に記載の電力増幅器。
【請求項５】
前記制御部は、前記アナログ・デジタル変換器が飽和しているか否かを検出するリミッタ検出器を備え、該リミッタ検出器の出力により前記比較器の出力又は前記各増幅器系統に共通の固定データを選択するセレクタを備えることを特徴とする請求項１乃至４の何れかに記載の電力増幅器。
【請求項６】
入力信号を分岐して増幅する複数の増幅器系統により増幅された出力信号を電力合成器にて合成して必要とする出力信号を得る電力増幅方法において、
前記各増幅器系統の出力信号の平均値を求めることと、該平均値を予め決められた固定値と比較することと、該比較結果に基づいて前記各増幅器系統の増幅器のバイアス電圧を制御することとなることを特徴とする電力増幅方法。
【請求項７】
前記各増幅器系統の出力信号の平均値は、前記出力信号をデジタル化し、該デジタルデータの絶対値を求め、該絶対値をデジタル演算処理して求めることを特徴とする請求項６に記載の電力増幅方法。
【発明の詳細な説明】
【技術分野】
【０００１】
本発明は電力増幅器に関し、特に入力信号を分岐して複数の増幅器系統で増幅した後に合成して出力信号を得る電力増幅器および電力増幅方法に関する。
【背景技術】
【０００２】
微小（又は微弱）な信号を受けて、大きな電力で負荷を駆動するには電力増幅器を使用して所定の出力電力を得るのが一般的である。例えば、テレビジョン放送やラジオ放送における信号送信には、大な送信電力を必要とする。そこで、電力増幅器は、その用途に応じて種々のものが提案され且つ実用化されている。電力増幅器の中には、単一の増幅器系統によらず、複数の増幅器系統を備えるものがある。
【０００３】
斯かる複数の増幅器系統を使用する電力増幅器では、入力信号を分配器により分岐して複数の増幅器系統に入力して、増幅された信号を合成して必要とする電力の出力信号を得ている。各増幅器系統は、例えばＦＥＴ（電界効果トランジスタ）等により構成された増幅器を含んでいる。
【０００４】
上述の如く入力信号を分配器により分岐して複数の増幅器に入力して増幅し、これら複数の増幅器の出力信号を合成器で合成して最終出力信号とする電力増幅器は、周知であり幾つかの技術文献に開示されている。例えば、分岐された入力信号を複数の増幅器で増幅された後、単に合成器で合成するのみならず、制御部を備え、基準増幅器に合わせて他の増幅器の出力のアンバランスを補正する電力増幅器利得バランサー回路が開示されている（例えば、特許文献１参照。）。また、同様にＮ個の増幅器の出力における進行波および反射波を方向性結合器で検出し、複数の増幅器に共通化した多重化レベル比較部および基準レベル調整部により順次各増幅器の制御部を制御する電力増幅装置のレベル監視装置が開示されている（例えば、特許文献２参照。）。
【０００５】
【特許文献１】実開昭６２−１５８９１５号公報（第２−３頁、第１図）
【特許文献２】特開平７−２６４１４６号公報（第３頁、第１図）
【発明の開示】
【発明が解決しようとする課題】
【０００６】
しかし、複数の増幅器を構成する、例えばＦＥＴ等の能動素子の特性は、均一ではなく比較的大きなばらつきがある。これら能動素子の特性のばらつきを自動的且つ同時に補正していないので、電力合成を簡単且つ効率的に行うことができないという課題を有する。
【０００７】
本発明は、従来技術の上述した課題に鑑みなされたものであり、斯かる課題を克服又は軽減する電力増幅器および電力増幅方法を提供することを主たる目的とする。
【課題を解決するための手段】
【０００８】
前述の課題を解決するため本発明の電力増幅器および電力増幅方法は次のような特徴的な構成を採用している。
【０００９】
（１）入力信号を電力分配器にて分岐して複数の増幅器系統に入力して増幅し、該複数の増幅器系統により増幅された信号を電力合成器にて合成して必要とする出力信号を得る電力増幅器において、
それぞれ前記各増幅器系統の出力信号により前記各増幅器系統の増幅器のバイアス電圧を制御する制御部を備える電力増幅器。
【００１０】
（２）前記電力合成器で合成される前記複数の増幅器系統の出力信号は、前記制御部により振幅および位相がそれぞれ等しくされる上記（１）の電力増幅器。
【００１１】
（３）前記制御部は、前記各増幅器系統の出力信号の平均値を求める平均値検出部および前記平均値を予め決められた固定値と比較する比較器を備える上記（１）又は（２）の電力増幅器。
【００１２】
（４）前記制御部は、前記各増幅器系統の出力信号をアナログ・デジタル変換器でデジタル化してデジタル的に処理される上記（１）、（２）又は（３）の電力増幅器。
【００１３】
（５）前記制御部は、前記アナログ・デジタル変換器が飽和しているか否かを検出するリミッタ検出器を備え、該リミッタ検出器の出力により前記比較器の出力又は前記各増幅器系統に共通の固定データを選択するセレクタを備える上記（１）乃至（４）の何れかの電力増幅器。
【００１４】
（６）入力信号を分岐して増幅する複数の増幅器系統により増幅された出力信号を電力合成器にて合成して必要とする出力信号を得る電力増幅方法において、
前記各増幅器系統の出力信号の平均値を求めることと、該平均値を予め決められた固定値と比較することと、該比較結果に基づいて前記各増幅器系統の増幅器のバイアス電圧を制御することとなる電力増幅方法。
【００１５】
（７）前記各増幅器系統の出力信号の平均値は、前記出力信号をデジタル化し、該デジタルデータの絶対値を求め、該絶対値をデジタル演算処理して求める上記（６）の電力増幅方法。
【発明の効果】
【００１６】
本発明の電力増幅器および電力増幅方法によると、次の如き実用上の顕著な効果が得られる。即ち、増幅器系統毎に制御しているので、高効率で電力合成が可能である。また、複数の増幅器系統を予め決められた基準値に基づき同時に自動制御可能である。更に、制御をデジタル処理により行うので、安定且つ迅速に行うことが可能である。
【実施例】
【００１７】
以下、本発明による電力増幅器および電力増幅方法の好適実施例の構成および動作を、添付図面を参照して詳細に説明する。
【００１８】
先ず、図１は、本発明による電力増幅器の好適実施例の全体構成を示す系統図又はブロック図である。この電力増幅器１０は、増幅される入力信号が入力される入力端子１１に接続された電力分配器１２、この電力分配器１２の出力側に接続された複数の増幅器系統（この特定実施例では２系統）１３Ａ、１３Ｂ、これら増幅器系統１３Ａ、１３Ｂの出力信号を合成する電力合成器１６、この電力合成器１６で合成された出力信号を出力する出力端子１７および各増幅器系統１３Ａ、１３Ｂを制御する制御部（バイアス制御部）２０により構成される。
【００１９】
各増幅器系統１３Ａ、１３Ｂは、例えばＦＥＴにより構成される増幅器１４を入力側に有し、更に出力側に分配器１５を含んでいる。そして、制御部２０は、これら分配器１５および増幅器１４の間に設けられ、後述する如く各増幅器１４のバイアス電圧を制御するように構成されている。
【００２０】
この制御部２０は、増幅器系統１３Ａおよび１３Ｂ毎に、アナログ・デジタル変換器（Ａ／Ｄ）２１、絶対値検出部２２、平均値検出部２３、比較器２４、セレクタ２５、リミッタ検出器２８およびデジタル・アナログ変換器（Ｄ／Ａ）２９を備えている。また、比較器２４には、一方の入力端にはそれぞれの平均値検出部２３の出力が入力されると共に他方の入力端には固定値出力部２６から予め決められた固定値が入力されている。更に、セレクタ２５には、一方の入力端に比較器２４の出力信号が入力されると共に、他方の入力端にはリミッタ用固定データ２７が入力されている。リミッタ用固定データ２７は、出力したい固定データよりも小さい値であり、基準値２６よりも小さい値である。
【００２１】
次に、図１に示す電力増幅器１０の動作を説明する。入力端子１１に入力される入力信号を分配器１２にて分岐して複数の増幅器系統１３Ａ、１３Ｂに入力し、それぞれの増幅器１４にて増幅される。増幅された信号を増幅器系統１３Ａ、１３Ｂ毎に分配器１５にて分岐又は分波される。そして、一方は、そのまま電力合成器１６にて信号の合成されて出力端子１７から出力信号として出力され、他方の信号は、制御部２０、特にそのＡ／Ｄ２１に入力される。
【００２２】
制御部２０において、Ａ／Ｄ２１は、各増幅器系統１３Ａ、１３Ｂの分配器１５で分岐された信号をデジタル変換する。Ａ／Ｄ２１にてデジタル変換されたデータは、絶対値検出部２２により絶対値変換される。また、平均値検出部２３は、絶対値検出部２２から出力される絶対値の平均値を計算する。比較器２４は、この平均値を固定値２６と比較する。
【００２３】
このとき、リミッタ検出器２８は、Ａ／Ｄ２１が飽和している否かを検出する。一般に、Ａ／Ｄの飽和電圧は、デバイスによって決まっているため、その範囲より大きい信号をリミッタ検出器によって検出する。セレクタ２５は、リミッタ検出器２８の出力に基づいて、固定値リミッタ用固定データ２７を出力するか、比較器２４からの比較結果である比較値を出力するかを選択する。セレクタ２５は、Ａ／Ｄが飽和しているため、得られたデータにて波形補正が出来ないために用いられ。Ｄ／Ａ２９は、セレクタ２５の出力をデジタル−アナログ変換して各増幅器系統１３Ａ、１３Ｂの増幅器１４に入力し、そのバイアス電圧を可変すると共に各増幅器１４の増幅度も併せて制御する。その結果、各増幅器系統１３Ａ、１３Ｂから同位相且つ同振幅の出力信号が得られる。これらの出力信号を合成することにより、高効率且つ無調整化（自動調整化）を実現している。
【００２４】
電力を分配して各増幅器系統毎に検波する。検波された信号をそれぞれデジタル処理し平均化したデータと固定値を比較することによってＦＥＴ等の増幅器におけるバイアス電圧を可変させることにより同振幅かつ同位相の出力を得て、その出力を合成することにより高効率かつ無調整な電力増幅器となる。
【００２５】
図２は、本発明による電力増幅器の動作を説明する動作波形図である。図２（Ａ）は、一方の増幅器系統１３Ａの出力波形を示す。図２（Ｂ）は、他方の増幅器系統１３Ｂの出力波形を示す。そして、図２（Ｃ）は、図２（Ａ）および（Ｂ）に示す両出力波形の合成出力波形を示す。尚、図２（Ａ）〜（Ｃ）において、実線は本発明による電力増幅器の動作波形を示し、破線は従来の電力増幅器の動作波形を示している。
【００２６】
図２から明らかな如く、本発明の電力増幅器１０によると、各増幅器系統１３Ａ、１３Ｂの出力は、同位相且つ同振幅であるので、高精度且つ高効率の出力信号を得ることが可能である。
【００２７】
以上、本発明による電力増幅器および電力増幅方法の好適実施例の構成および動作を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図面の簡単な説明】
【００２８】
【図１】本発明による電力増幅器の好適実施例の構成を示すブロック図である。
【図２】本発明の電力増幅器の動作を、従来の電力増幅器の動作対比して説明する動作波形図である。
【符号の説明】
【００２９】
１０  電力増幅器
１２  電力分配器
１３Ａ、１３Ｂ  増幅器系統
１４  増幅器
１５  分配器
１６  電力合成器
２０  制御部
２１  Ａ／Ｄ変換器
２２  絶対値検出部
２３  平均値検出部
２４  比較器
２５  セレクタ
２８  リミッタ検出器
２９  Ｄ／Ａ変換器
【図１】
2006135528.tif 000003
【図２】
2006135528.tif 000004